【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
予測サーバと、モバイルコンピューティングデバイスとの間に存在するプロキシサーバによって少なくとも部分的に実行される方法であって、
前記モバイルコンピューティングデバイスから、イメージコレクションの所定のレイアウトの第１のイメージから、該所定のレイアウト内で第１のイメージに直接隣接する第２のイメージへのナビゲーションを指示するデータを受信するステップと、
前記データを受信したことに少なくとも部分的に応答して、
前記モバイルコンピューティングデバイスに、前記所定のレイアウト内で前記第２のイメージに直接隣接する第１のセットのイメージを送信するステップと、
前記予測サーバに、前記第１のセットのイメージに直接隣接する第２のセットのイメージを要求するステップと、
前記第２のセットのイメージを受信するステップと、
前記プロキシサーバに、前記予測サーバから受信した前記第２のセットのイメージを格納するステップと
を含む、方法。
【請求項２】
ナビゲーションを指示する前記データを受信することは、前記所定のレイアウト内で前記第２のイメージに直接隣接する前記第１のセットのイメージを求める要求を受信することを含む、
請求項１に記載の方法。
【請求項３】
前記所定のレイアウト内で前記第２のイメージに直接隣接する前記第１のセットのイメージを送信するステップは、
前記プロキシサーバに格納されている、前記所定のレイアウト内の前記第２のイメージに直接隣接する各イメージを識別することと、
前記プロキシサーバに格納されている、前記所定のレイアウト内の前記第２のイメージに直接隣接するイメージのサブセットであって、前記モバイルコンピューティングデバイスに以前に送信されたイメージのサブセットを決定することと、
前記プロキシサーバに格納されている、前記所定のレイアウト内の前記第２のイメージに直接隣接する各イメージのうち、前記モバイルコンピューティングデバイスに以前に送信されたイメージのサブセットを除くイメージを送信することと
を含む、請求項１に記載の方法。
【請求項４】
プロセッサに、請求項１乃至３のいずれか１項に記載の方法を実行させるプログラム。
【請求項５】
１つ又は複数のコンピューティングデバイスであって、
１つ又は複数のプロセッサと；
メモリと；
前記メモリに格納され、前記１つ又は複数のプロセッサ上で実行可能なプログラムであって、前記１つ又は複数のプロセッサによって実行されると、該プロセッサに、
クライアントコンピューティングデバイスが、所定のレイアウトに集合的に関連付けられる複数の異なるイメージのうち特定のイメージをレンダリングしている、との指示を受信することと、
前記指示を受信したことに少なくとも部分的に応答して、
前記クライアントコンピューティングデバイスに、前記所定のレイアウトにおいて前記特定のイメージに直接隣接する第１のセットのイメージを送信することと、
予測サーバに、前記第１のセットのイメージに直接隣接する第２のセットのイメージを要求することと、
前記第２のセットのイメージを受信することと、
前記メモリ内に、前記予測サーバから受信した前記第２のセットのイメージを格納することと、
を含む動作を実行させる、プログラムと；
を備える、１つ又は複数のコンピューティングデバイス。
【請求項６】
前記所定のレイアウトに集合的に関連付けられる前記複数の異なるイメージは、
前記クライアントコンピューティングデバイスによってレンダリングされる地図、又は
前記複数の異なるイメージによって表されるシーンの３次元モデルであって、前記クライアントコンピューティングデバイスがレンダリングする前記シーンの３次元モデル
を定義する、
請求項５に記載の１つ又は複数のコンピューティングデバイス。
【請求項７】
前記特定のイメージに直接隣接する前記第１のセットのイメージを送信することは、前記所定のレイアウトにおいて前記特定のイメージに隣接する各イメージであって、前記クライアントコンピューティングデバイスに以前に送信された前記第１のセットのイメージのサブセットを除くイメージを送信することを含む、
請求項５に記載の１つ又は複数のコンピューティングデバイス。
【請求項８】
前記予測サーバから受信した前記第２のセットのイメージは、前記複数の異なるイメージのうちの１つ又は複数の隣接するイメージを備え、該１つ又は複数の隣接するイメージは、前記所定のレイアウト内で前記特定のイメージに直接隣接するイメージに隣接しており、前記予測サーバから以前に受信した１つ又は複数の隣接するイメージのサブセットを除く、
請求項５に記載の１つ又は複数のコンピューティングデバイス。
【請求項９】
予測サーバのプロセッサによって実行されると、該プロセッサに、
前記予測サーバ及びクライアントコンピューティングデバイスに通信可能に結合されるプロキシサーバからのイメージ要求を受信するステップであって、前記イメージ要求は、あるシーンの地図又は３次元（３Ｄ）モデルを表すイメージコレクションであって、前記クライアントコンピューティングデバイスのユーザが地図又は３次元（３Ｄ）モデルへとナビゲートしたイメージコレクションのうちの特定のイメージを識別する、ステップと、
前記予測サーバにおいて、前記イメージ要求から、前記クライアントコンピューティングデバイスのキャッシュに格納するための前記イメージコレクションのうちの第１のイメージのセットと、前記プロキシサーバのキャッシュに格納するための前記イメージコレクションのうちの第２のイメージのセットとを識別するステップであって、前記第１のイメージのセットは、前記のコレクションのうちの前記特定のイメージに直接隣接するイメージを含み、前記第２のイメージのセットは、前記のコレクションのうちの前記第１のイメージのセットに直接隣接するイメージを含む、ステップと、
前記第１のイメージのセット及び前記第２のイメージのセットを前記予測サーバから前記プロキシサーバへ送信するステップであって、前記プロキシサーバは、前記第２のイメージのセットをキャッシュし、更に前記第１のイメージのセットを前記クライアントコンピューティングデバイスに送信する、ステップと、
を含む、動作を実行させる、プログラム。
【請求項１０】
予測サーバのプロセッサによって実行される方法であって、
前記予測サーバ及びクライアントコンピューティングデバイスに通信可能に結合されるプロキシサーバからのイメージ要求を受信するステップであって、前記イメージ要求は、あるシーンの地図又は３次元（３Ｄ）モデルを表すイメージコレクションであって、前記クライアントコンピューティングデバイスのユーザが前記地図又は前記３Ｄモデルへとナビゲートしたイメージコレクションのうちの特定のイメージを識別する、ステップと、
前記予測サーバにおいて、前記イメージ要求から、前記クライアントコンピューティングデバイスのキャッシュに格納するための前記イメージコレクションのうちの第１のイメージのセットと、前記プロキシサーバのキャッシュに格納するための前記イメージコレクションのうちの第２のイメージのセットとを識別するステップであって、前記第１のイメージのセットは、前記のコレクションのうちの前記特定のイメージに直接隣接するイメージを含み、前記第２のイメージのセットは、前記のコレクションのうちの前記第１のイメージのセットに直接隣接するイメージを含む、ステップと、
前記第１のイメージのセット及び前記第２のイメージのセットを前記予測サーバから前記プロキシサーバへ送信するステップであって、前記プロキシサーバは、前記第２のイメージのセットをキャッシュし、更に前記第１のイメージのセットを前記クライアントコンピューティングデバイスに送信する、ステップと、
を含む、方法。